(57)【特許請求の範囲】
【請求項１】
被処理水が流通される円筒状の容器と、該容器の円筒軸に対して同心円状に配置され、内部に紫外線ランプが収容されるガラス製の複数のランプ保護管と、前記容器の円筒軸上に配置され、内部に紫外線照度計が収容されるガラス製の照度計保護管と、前記ランプ保護管及び前記照度計保護管の外表面の汚れを除去する洗浄装置とを備えてなる紫外線水処理装置において、
前記洗浄装置は、洗浄ユニットと、該洗浄ユニットを前記円筒軸方向に移動させる駆動手段とを備え、
前記駆動手段は、前記照度計保護管に対して平行に、かつ干渉しない位置に回転自由に支持された送り螺子と、該送り螺子を回転させる駆動機構とを有し、
前記洗浄ユニットは、前記複数のランプ保護管及び前記照度計保護管が挿通される複数の保護管貫通穴と前記送り螺子が挿通される送り螺子貫通穴とをそれぞれ有してなる複数の洗浄フレームと、該複数の洗浄フレームを前記円筒軸方向に間隔を離して連結する連結部材と、前記複数のランプ保護管及び前記照度計保護管のそれぞれの外表面に接触可能に前記複数の保護管貫通穴に設けられた柔軟性の除去部材と、前記送り螺子に螺合させて前記複数の洗浄フレームの前記送り螺子貫通穴の１つに固定された送りナットとを有してなる紫外線水処理装置。
【請求項２】
前記複数のランプ保護管、前記照度計保護管、及び前記送り螺子に対して平行に、かつ干渉しない位置に支持されたガイド棒と、前記複数の洗浄フレームに形成された前記ガイド棒が挿通されるガイド棒貫通穴とを有し、
前記ガイド棒貫通穴は、前記送り螺子の回転に伴う前記各洗浄フレームの回転によって前記複数のランプ保護管及び前記照度計保護管と前記保護管貫通穴とが接触する前に、前記ガイド棒と前記ガイド棒貫通穴とが接触して、前記洗浄ユニットが前記ガイド棒上を摺動しながら前記円筒軸方向に移動するように形成されてなる請求項１の紫外線水処理装置。
【請求項３】
前記各洗浄フレームの前記ガイド棒貫通穴に戸車が設けられ、前記洗浄ユニットが前記ガイド棒上を転がり摺動する請求項２の紫外線水処理装置。
【請求項４】
前記洗浄ユニットの前記円筒軸方向に沿った位置を検出する位置検出センサー、及び前記駆動手段の回転トルクリミッターの少なくともいずれか一方を備えてなる請求項１の紫外線水処理装置。
【発明の詳細な説明】
【技術分野】
【０００１】
本発明は、紫外線水処理装置に係り、具体的には、被処理水に紫外線を照射する紫外線ランプが収容されたランプ保護管、及び紫外線ランプから照射される紫外線の照度を測定する紫外線照度計が収容された照度計保護管の外表面の汚れを除去する洗浄装置を備えた紫外線水処理装置に関する。
【背景技術】
【０００２】
紫外線水処理装置は、例えば水道水、各種工業用水、純水などの被処理水を処理槽内に通流させるとともに、処理槽内に配置した紫外線ランプにより被処理水に対して紫外線を照射して、消毒、滅菌、有機物の分解などを行うものである。
【０００３】
具体的には、例えば特許文献１に記載されているように、円筒形の処理槽内に被処理水を通流させるとともに、処理槽の円筒軸に対して同心円状に複数の紫外線ランプを収容するランプ保護管を配置して、処理槽内の平均照度が最大になるようにすることが知られている。
【０００４】
また、処理槽の円筒軸上に紫外線照度計を収容する照度計保護管を配置して、複数の紫外線ランプから等距離となる位置で紫外線照射量を計測することが知られている。
【０００５】
ところで、紫外線水処理装置では、処理槽内を通過する被処理液に含まれる溶存物質がランプ保護管及び照度計保護管の外表面に付着し、この付着物によって被処理液に照射される紫外線の量が減少して処理効果が減少したり、計測照度に誤差が生じたりするなどの弊害がある。
このような弊害に対して、特許文献１には、ランプ保護管及び照度計保護管の外表面の汚れを除去するワイパー機構を設けることが記載されている。具体的には、ワイパー機構は、弾性を有するゴムなどの樹脂や合成樹脂などのワイパー部材を、ランプ保護管及び照度計保護管の外表面に接触する環状に形成し、これを各保護管に沿って移動させて汚れを除去するものである。
【０００６】
【特許文献１】特開２００７−１５５５４６号公報
【発明の開示】
【発明が解決しようとする課題】
【０００７】
しかしながら、上記特許文献１の技術では、ワイパー部材を各保護管に沿って移動させる際の動作が不安定になる場合が考えられる。
【０００８】
すなわち、特許文献１の記載によれば、例えば各保護管のそれぞれが挿通される保護管貫通穴を有する洗浄フレームの各保護管貫通穴にワイパー部材を設け、この洗浄フレームを保護管に沿って移動させる構成が考えられる。
【０００９】
この場合、円筒軸上の位置、言い換えれば洗浄フレームの中心位置には照度計保護管が存在するため、洗浄フレームを移動させる際の推進力はフレーム中心位置から偏心した位置に作用させざるを得ない。フレームの中心位置から離れた位置に推進力を付与すると、不均衡な力が洗浄フレームにかかり、洗浄フレームのシャクリ（寸動）運動が生じて、動作が安定しない場合がある。
【００１０】
そこで、本発明は、ランプ保護管及び照度計保護管の洗浄装置を安定に動作させることを課題とする。
【課題を解決するための手段】
【００１１】
上記課題を解決するため、本発明の紫外線水処理装置は、被処理水が流通される円筒状の容器と、この容器の円筒軸に対して同心円状に配置され、内部に紫外線ランプが収容されるガラス製の複数のランプ保護管と、容器の円筒軸上に配置され、内部に紫外線照度計が収容されるガラス製の照度計保護管と、ランプ保護管及び照度計保護管の外表面の汚れを除去する洗浄装置とを備えることを基本構成としている。
【００１２】
洗浄装置は、洗浄ユニットと、この洗浄ユニットを円筒軸方向に移動させる駆動手段とを備えており、駆動手段は、照度計保護管に対して平行に、かつ干渉しない位置に回転自由に支持された送り螺子と、この送り螺子を回転させる駆動機構とを有している。そして、洗浄ユニットは、複数のランプ保護管及び照度計保護管が挿通される複数の保護管貫通穴と送り螺子が挿通される送り螺子貫通穴とをそれぞれ有してなる複数の洗浄フレームと、複数の洗浄フレームを円筒軸方向に間隔を離して連結する連結部材と、複数のランプ保護管及び照度計保護管のそれぞれの外表面に接触可能に複数の保護管貫通穴に設けられた柔軟性の除去部材と、送り螺子に螺合させて複数の洗浄フレームの送り螺子貫通穴の１つに固定された送りナットとを有してなることを特徴とする。
【００１３】
すなわち、本発明では、洗浄フレームを円筒軸方向に間隔を離して複数配置するとともに、これらを連結部材によって連結して、一体に保護管に沿って移動させている。これにより、洗浄フレームの推進力を作用させる位置がフレームの中心位置からずれているとしても、不均衡な力が洗浄フレームに掛かることを抑制して、洗浄フレームのシャクリ（寸動）運動を抑制することができる。その結果、ランプ保護管及び照度計保護管の洗浄装置を安定に動作させることができる。
【００１４】
この場合において、複数のランプ保護管、照度計保護管、及び送り螺子に対して平行に、かつ干渉しない位置に支持されたガイド棒と、複数の洗浄フレームに形成されたガイド棒が挿通されるガイド棒貫通穴とを有するとともに、ガイド棒貫通穴は、送り螺子の回転に伴う各洗浄フレームの回転によって複数のランプ保護管及び照度計保護管と保護管貫通穴とが接触する前に、ガイド棒とガイド棒貫通穴とが接触して、洗浄ユニットがガイド棒上を摺動しながら円筒軸方向に移動するように形成されてなることが好ましい。
【００１５】
つまり、洗浄ユニットの推力は、送り螺子を回転させるとともに、洗浄フレームに固定した送りナット、及び洗浄フレームを不回転にすることにより与えられるものであるが、送り螺子を回転させると、回転力は送りナットを介して洗浄フレームに伝達され最終的にはガイド棒と各保護管に伝えられる。ここで、例えば石英ガラスで形成された各保護管に外力が掛かると、破損などのおそれがあり好ましくないため、ガイド棒貫通穴の径を、各保護管と保護管貫通穴とが接触する前にガイド棒とガイド棒貫通穴とが接触するように形成するものである。言い換えれば、洗浄フレームの回転をガイド棒で受け止め、洗浄ユニット（各洗浄フレーム）がガイド棒上を摺動しながら円筒軸方向に移動するように構成したものである。これにより、例えば送りナットが送り螺子と噛み合った場合でも、洗浄フレームから各保護管に回転力がかかって保護管の破損などが生じないようにすることができる。
【００１６】
また、各洗浄フレームのガイド棒貫通穴に戸車を設けて、洗浄ユニットがガイド棒上を転がり摺動するようにしてもよい。洗浄ユニットの各洗浄フレームはガイド棒上を摺動するが、被処理液に微細な異物が含まれる場合、摩擦抵抗が飛躍的に増大し、また、摺動音が大きくなる。そこで、ガイド棒貫通穴に戸車を設けることにより、摩擦抵抗を低減させ、そして摺動音を低下させることができる。
【発明の効果】
【００１７】
本発明によれば、ランプ保護管及び照度計保護管の洗浄装置を安定に動作させることができる。
【発明を実施するための最良の形態】
【００１８】
以下、本発明を適用してなる紫外線水処理装置の実施形態を、図１〜４を用いて説明する。本実施形態では、水中の微生物の消毒、滅菌、殺滅や、有機物の分解、酸化処理などを行う紫外線水処理装置を一例として説明を行う。
【００１９】
図１（ａ）は、本発明を適用してなる紫外線水処理装置の概略構成を示す上面断面図、図１（ｂ）は、紫外線水処理装置の概略構成を示す側面図である。図１に示すように、本実施形態の紫外線水処理装置１は、紫外線を照射する対象となる流体である被処理水が通流する円筒状の処理槽３を備えている。処理槽３は、防食性の材料、例えばステンレスやアルミニウムなどの金属などで形成されており、処理槽３の内部に、処理槽３の延在方向に沿って直管状の紫外線ランプ５が複数設置されている。紫外線ランプ５は、円筒状のランプ保護管７内に挿入された状態で設置されている。
【００２０】
また、処理槽３の内部に、処理槽３の延在方向に沿って直管状の紫外線照度計９が設置されている。紫外線照度計９は、円筒状の照度計保護管１１内に挿入された状態で設置されている。ランプ保護管７及び照度計保護管１１は、紫外線透過性の材料、例えば石英ガラスやテフロン（登録商標）樹脂などで形成されている。また、保護管の破損時の飛散を防止することを目的に耐紫外線弗素樹脂をコーティングしてもよい。この際、石英ガラスと樹脂との接着力を向上させるために、ガラス表面に例えば約３０μｍのショットブラストを施してもよい。
【００２１】
紫外線照度計９は、紫外線を可視光に変換する波長変換素子で形成された受光面を有しており、変換された可視光は、図示していない光ファイバーなどを介して光電変換アンプに伝達される。そして、光電変換アンプにより可視光の強度に対応する電圧値、つまり、紫外線の照度に対応する電圧値に変換されて、紫外線照度、或いは紫外線照度に対応する有効照射量が検出される。
【００２２】
紫外線照度計９の波長変換素子は、１種または複数の蛍光材料を石英ガラスなどに混合した蛍光ガラスを主材料として形成したものである。蛍光材料は、紫外線ランプからの紫外線を可視光に変換する、例えば遷移金属蛍光体、希土類蛍光体、芳香族化合物、タングステン酸塩など、具体的には、例えばナフタレン、アントラセン、タングステン酸マグネシウム、硫化亜鉛、イットリウム化合物などの種々の蛍光材料から適宜選択することができる。
【００２３】
なお、波長変換素子は、蛍光材料をアクリルやポリカーボネートなどの合成樹脂などを混合して形成することもできる。さらに、波長変換素子は、蛍光材料が混合されていない石英ガラス製又は合成樹脂製の波長変換素子基材の表層部に蛍光材料が混合された層を形成することや、また、これらの波長変換素子基材の表面に蛍光材料を塗布することなどで形成することもできる。
【００２４】
このようにして、処理槽３の内部に紫外線ランプ５及び紫外線照度計９が設置された紫外線照射室３ａが形成されている。なお、ランプ保護管７及び照度計保護管１１の配置態様などの詳細構成は、後に説明する。
【００２５】
さらに、処理槽３の内部には、ランプ保護管７及び照度計保護管１１の外表面の汚れを除去する洗浄装置として、洗浄ユニット１３が備えられるとともに、処理槽３の一方の端部に、洗浄ユニットを処理槽３の延在方向に沿って移動させる駆動装置１５が駆動装置収容箱１６に内包されて備えられている。さらに、処理槽３の内部には、洗浄ユニット１３を摺動させながら移動させる複数のガイド棒１７が、処理槽３の延在方向に沿って設置されている。なお、洗浄ユニット１３及び駆動装置１５などの詳細構成は後に説明する。
【００２６】
紫外線水処理装置１は、処理槽３の駆動装置１５が備えられていない側の端部の処理水入口１９から被処理水を流入し、処理槽３の内部で紫外線照射により水中の微生物の消毒、滅菌、殺滅や、有機物の分解、酸化処理などを行い、処理槽３の胴部に形成された処理水出口２０から被処理水を流出するものである。なお、処理水入口１９を、処理槽３の胴部の処理水出口２０が形成されていない側の端部付近に形成して被処理水を通流するようにしてもよい。
【００２７】
なお、本実施形態では、紫外線水処理装置１は、装置取付架台２１の上に横型に設置されるものであるが、これに限らず、紫外線水処理装置１は、縦型に設置して用いることも可能である。
【００２８】
次に、図２を用いて、ランプ保護管７及び照度計保護管１１などの保護管ユニットの詳細構成を説明する。図２（ａ）は保護管ユニットの全体構成の側面図、図２（ｂ）は、図２（ａ）のｂ−ｂ線の矢視図、図２（ｃ）は、図２（ａ）のｃ−ｃ線の矢視図である。
【００２９】
図２に示すように、内部に紫外線ランプ５を収容するランプ保護管７は、処理槽３の円筒軸Ａに対して同心円状に６本配置されている。そして、その一端が、ボルト２７´によってエンドプレート２３に固定されたランプホルダー２７に保持されており、他端が、保護管シール押さえ２９、保護管押さえ３１、ボルト２９´などによりヘッドフランジ３３に固定されている。
【００３０】
また、内部に紫外線照度計９を収容する照度計保護管１１は、処理槽３の円筒軸Ａ上に配置されている。そして、ランプ保護管７と同様に、一端がボルト２７´によってエンドプレート２３に固定されたランプホルダー２７に保持されており、他端が、保護管シール押さえ２９、ボルト２９´、保護管押さえ３１などによりヘッドフランジ３３に固定されている。
【００３１】
このように、処理槽３の円筒軸Ａ上に照度計保護管１１を配置し、照度計保護管１１に対して同心円状にランプ保護管７を配置することにより、処理槽３内の平均照度が最大になるようにするとともに、各紫外線ランプ５から等距離で紫外線強度を計測できるように構成されている。
【００３２】
そして、処理槽３の円筒軸Ａに対して同心円状に、洗浄ユニット１３を摺動させながら移動させる４本のガイド棒１７が配置されている。ガイド棒１７は、ランプ保護管７と略同一の同心円上に、各ランプ保護管７の間に位置して設けられている。ガイド棒１７は、その一端が、固定部材３２を介してボルト３２´によりエンドプレート２３に固定されており、他端が、固定部材３４を介してヘッドフランジ３３のエンドプレート２３側に設けられた固定フランジ３５に固定されている。
【００３３】
なお、ヘッドフランジ３３には、後述する送り螺子が挿通される送り螺子用穴３６が形成されており、送り螺子はエンドプレート２３の送り螺子軸受３８により、回転自由に支持されている。また、エンドプレート２３には、保護管ユニットを移動させる際に使用するガイドローラ３７が設けられている。このように、ランプ保護管７及び照度計保護管１１は、ヘッドフランジ３３、ガイド棒１７、及びエンドプレート２３により一体のユニットとして構成されているので、各種水封部分や、ガイド棒の摺動部分などの保守点検時の取り扱いが簡便である。
【００３４】
ところで、紫外線水処理装置１では、処理槽３内を通過する被処理液に含まれる溶存物質がランプ保護管７及び照度計保護管１１の外表面に付着し、この付着物によって被処理液に照射される紫外線の量が減少して処理効果が減少したり、計測照度に誤差が生じたりするなどの弊害がある。この弊害を抑制するため、本実施形態では、ランプ保護管７及び照度計保護管１１の外表面の汚れを除去する洗浄装置を設けている。以下、図３を用いて、本実施形態の特徴部である洗浄ユニット１３の詳細を説明する。
【００３５】
図３は、洗浄ユニット１３の斜視図である。洗浄ユニット１３は、円筒軸Ａの方向に間隔を離して配置される２枚の洗浄フレーム３９と、洗浄フレーム３９を連結する４本の連結管４１とを備えて構成されている。各連結管４１は、両端がボルト４１´により洗浄フレーム３９に固定されて２枚の洗浄フレームを連結している。つまり、洗浄ユニット１３は、２枚の洗浄フレーム３９を連結管４１で連結した寵型に構成されている。
【００３６】
また、各洗浄フレーム３９は、６本のランプ保護管７と、照度計保護管１１とがそれぞれ挿通される保護管貫通穴４３が形成されている。また、４本のガイド棒１７がそれぞれ挿通されるガイド棒貫通穴４５が形成されている。さらに、上述した駆動装置１５と連結され、洗浄ユニット１３を円筒軸Ａの方向に移動させる、破線で模式的に図示した送り螺子４６が挿通される送り螺子貫通穴４７が形成されている。このように、送り螺子４６は、照度計保護管１１に対して平行に、かつ干渉しない位置に設けられている。
【００３７】
なお、ガイド棒貫通穴４５は、送り螺子４６の回転に伴う洗浄フレーム３９の回転に伴ってランプ保護管７及び照度計保護管１１と保護管貫通穴４３とが接触する前に、ガイド棒１７とガイド棒貫通穴４５とが接触するように、穴径が設計されている。
【００３８】
また、各保護管貫通穴４３には、ランプ保護管７及び照度計保護管１１のそれぞれの外表面に接触する柔軟性の除去部材４９が設けられている。除去部材４９は、弾性を有するとともに紫外線耐性や防食性などを有するゴムなどの樹脂や合成樹脂などを用いることができ、ランプ保護管７及び照度計保護管１１の外表面に接触するように環状に形成されて各保護管貫通穴４３に設けられている。また、一方の洗浄フレーム３９の送り螺子貫通穴４７に、送り螺子４６に螺合する送りナット５１が固定されている。
【００３９】
また、洗浄フレーム３９の照度計保護管１１が挿通される保護管貫通穴４３付近には、洗浄ユニット１３の移動量を検出するために、位置検知マグネット５３が設けられている。
【００４０】
次に、図４を用いて、送り螺子を回転させて洗浄ユニット１３を移動させる駆動装置１５について説明する。図４に示すように、駆動装置１５は、一端が送り螺子４６と連結される駆動螺子軸５５を有しており、駆動螺子軸５５の他端は、中間軸５７と連結されている。さらに、中間軸５７は、駆動側クラッチ５９及びモータ側クラッチ６１を介して駆動モータ６３に連結されている。
【００４１】
中間軸５７の外周には、シリンダー側軸受６５、オイレス６７、及び中間軸固定カラー６９が設けられている。さらに、中間軸５７の外周には、シリンダー側軸受６５、オイレス６７、Ｏリング７３、及びＸリング７５を介して中間軸ハウジング７１が設けられており、中間軸ハウジング７１は、その鍔部でＯリング７３をヘッドフランジ３３に押し付けて紫外線照射室３ａと駆動装置１５とをシールしている。
【００４２】
また、中間軸５７、駆動側クラッチ５９、モータ側クラッチ６１、及び中間軸５７の外周に設けられた部材は、モータベース７６により内包されており、モータベースの一部には、中間軸５７の回転を検出する回転センサー７７が設けられている。なお、図示していないが、駆動装置１５には、駆動モータ６３の回転トルクを検出して、検出値が予め設定されている閾値を超えて過負荷になったら、回転力を抑制するトルクリミッターが設けられている。
【００４３】
駆動モータ６３を駆動すると、回転力が中間軸５７及び駆動螺子軸５５を介して送り螺子４６に伝達されて送り螺子が回転し、送り螺子４６に螺合する送りナット５１、及び送りナットが固定された洗浄フレーム３９に回転力が伝達される。すると、洗浄フレーム３９が回転しようとするが、洗浄フレーム３９に形成されたガイド棒貫通穴４５とガイド棒１７とが接触して不回転となり、洗浄ユニット１３は、洗浄フレームがガイド棒上を摺動しながら移動する。
【００４４】
各洗浄フレーム３９には、ランプ保護管７及び照度計保護管１１の外周面に合わせて環状に形成されたゴムなどの除去部材４９が設けられているので、洗浄ユニット１３の移動により、各保護管外表面に付着した汚れをワイパーのように拭き取って各保護管を洗浄することができる。
【００４５】
ここで、洗浄フレーム３９の中心位置となる円筒軸Ａ上の位置には照度計保護管１１が存在するため、洗浄フレームを移動させる際の推進力を与える送り螺子は、照度計保護管に対して平行に、かつ干渉しない位置に回転自由に支持されることとなる。つまり、洗浄フレームを移動させる推進力は、フレーム中心位置から偏心した位置に作用させざるを得ない。すると、従来技術のように、洗浄フレームを１枚構成にしていると、洗浄フレームの移動の際に、シャクリ（寸動）運動が生じ、動作が安定しない場合がある。
【００４６】
この点、本実施形態では、上述のように、２枚の洗浄フレーム３９を連結管４１によって連結して一体化させた籠型とすることにより、ガイド棒１７上を複数点支持されて摺動するので、シャクリ（寸動）を抑制して動作を安定することができる。なお、本実施形態では、２枚の洗浄フレーム３９を連結したが、これに限らず複数枚の洗浄フレームを隣接間で互いに連結してもよい。また、このように洗浄ユニットを籠型にすることにより、両端の洗浄フレーム間の距離だけ洗浄装置の送り距離を短くすることができる。
【００４７】
また、本実施形態によれば、洗浄フレーム３９の回転をガイド棒１７で受け止め、洗浄ユニット（各洗浄フレーム）がガイド棒上を摺動しながら円筒軸方向に移動するように構成したことにより、例えば石英ガラスで形成された各保護管に洗浄フレームの回転による外力が掛かって破損するなどの弊害を抑制することができる。
【００４８】
なお、本実施形態では、各洗浄フレーム３９のガイド棒貫通穴４５とガイド棒１７が摺動しながら、洗浄ユニット１３が円筒軸方向に移動する例を示したが、これに限らず、各洗浄フレーム３９のガイド棒貫通穴４５に例えば戸車などを設けて、洗浄ユニット１３がガイド棒１７上を転がり摺動するようにしてもよい。被処理液に微細な異物が含まれる場合、摩擦抵抗が飛躍的に増大し、また、摺動音が大きくなるが、この構成により、摩擦抵抗を低減させ、そして摺動音を低下させることができる。
【００４９】
また、本実施形態では、駆動モータを用いて洗浄ユニットを移動させる例を示したが、これに限らず、例えば、ハンドルなどを回すことにより送り螺子を回転させる駆動機構を設けて、手動で洗浄ユニットを移動させるようにすることもできる。
【００５０】
また、紫外線水処理装置は、各種水封部分、摺動部分、除去部材などの磨耗劣化に対して年１回程度の点検が必要であるところ、処理槽内の各保護管とガイド棒、及び洗浄ユニットを一体構造とすることにより、点検時の作業性を向上することができる。
【００５１】
さらに、本実施形態では、上述のように、洗浄フレームに洗浄ユニット１３の移動量を検出するための位置検知マグネット５３を設けることにより、洗浄ユニットの円筒軸Ａ方向に沿った現在位置を確認することができる。これによれば、例えば、洗浄ユニットが処理槽内の端部まで移動しているにも関わらず、さらに推進力を与えて不要な外力を洗浄ユニットやガイド棒、或いは各保護管に加えることを抑制することができる。また、駆動装置の中間軸５７の回転を検出する回転センサー７７を設けることにより、回転数と移動距離との関係が既知なので、同様に洗浄ユニットの円筒軸Ａ方向に沿った現在位置を確認することができる。
【００５２】
加えて、駆動装置に回転トルクリミッターを設けることにより、何らかの原因で回転負荷が大きくなった際には回転力を抑制し、洗浄ユニットやガイド棒、或いは各保護管に不要な外力が加わって変形、破損などすることを抑制することができる。
【００５３】
なお、上述した本実施形態の紫外線水処理装置の処理槽３内に、被処理水の温度を検出する温度センサーを設けて、温度異常を検出できるように構成してもよい。処理槽内の温度上昇により紫外線ランプの寿命が短くなることから、処理槽内の温度を温度センサーで検出し、これに基づいて紫外線ランプの点灯、消灯を制御してもよい。また、ランプ保護管７及び照度計保護管１１にキャップを施して内部結露を防止するとともに、保護管内部の空気を置換して乾燥空気を供給する除湿ユニットを設けてもよい。さらに、保護管内部にシリカゲルなどを設けることにより、保護管内部の結露を防止してもよい。
【図面の簡単な説明】
【００５４】
【図１】本発明を適用してなる紫外線水処理装置の概略構成を示す図である。（ａ）は上面断面図であり、（ｂ）は側面図である。
【図２】ランプ保護管及び照度計保護管などの保護管ユニットの構成を示す図である。
【図３】洗浄ユニットの構成を示す図である。
【図４】洗浄ユニットの駆動装置の構成を示す図である。
【符号の説明】
【００５５】
１  紫外線水処理装置
３  処理槽
５  紫外線ランプ
７  ランプ保護管
９  紫外線照度計
１１  照度計保護管
１３  洗浄ユニット
１５  駆動装置
１７  ガイド棒
３９  洗浄フレーム
４１  連結管
４３  保護管貫通穴
４５  ガイド棒貫通穴
４６  送り螺子
４７  送り螺子貫通穴
４９  除去部材
５１  送りナット
【図１】
0004869206.tif 000002
【図２】
0004869206.tif 000003
【図３】
0004869206.tif 000004
【図４】
0004869206.tif 000005